(57)【要約】      （修正有）【課題】年を取ると多くの人達が腰が痛くなり、その痛みを解消する為治療具を提供する。【解決手段】腰の痛みは主に寝ている間の掛布団と敷布団の隙間から侵入した冷たい空気による寝冷えが主な原因である。そこで後腰を中心に胴回り３分の２くらいの大きさに裁った長方形の毛布を寝衣上着の後下に縫い付け、断熱効果の高い材料で作られた防冷具を寝衣の後腰のあたりにつけた構造とする。防冷具は軽く、湿気は通り易く、熱は通り難い材料や構造に作り、チョッキ状などの寝衣につけて用いる。【選択図】図１
2008212610.tif 000002
【特許請求の範囲】
【請求項１】
防冷効果の高い材料で作られた、就眠時の寝冷えによる腰痛防止用の長方形類似を特徴とする防冷具。
【発明の詳細な説明】
【技術分野】
【０００１】  本発明は、年を取ると腰痛が生ずるのを防止したり、既に生じた腰痛を治したりする治療用防冷具を得るのが目的である。
【背景技術】
【０００２】  １  特開２００６−２３９３４３  付録１号
２  特開２００６−２５５３６５  付録２号
３  腰痛の原因不明の記事であるが、寝冷えによる痛みなどの記述がない。付録３号。
４  腰痛の原因不明の記事であるが、寝冷えによる痛みなどの記述がない。付録４号。
５  腰痛の原因不明の記事であるが、寝冷えによる痛みなどの記述がない。付録５号。
【発明の開示】
【発明が解決しようとする課題】
【０００３】  この発明は、長年の経験と研究に基づき発明された中年以降の腰痛防止用、又は、腰痛治療用防冷具に関するものである。【０００４】  この痛みは放置すると段々に強くなり、遂には動けなくなる場合がある。【０００５】  その中の一つ、輪状椎間板が切れた場合は、根治方法として外科手術に頼る事がある。【０００６】  しかし、前記のような方法でも限界があって痛みが長く続くことが多くあり、多くの年長者が経験する大変に難儀な事で、二本足で立って歩く人間の宿命でもあると考えられている。【０００７】  以上の事は、自分の年齢と長年の経験で認識したり、多くの年長者達の体験を聞いたりした事が基になっているが、年月の経過に伴い多くの年長者達の共通した悩みである事を知った。【０００８】  人それぞれに性格と同じに身体の状態も異なり、痛みの状態も異なるが、運動した人やしなかった人の体の使い方などで痛み個所や程度も異なる。【０００９】  本発明を正しく理解するのに必要なので、中年期以降の体験等を説明する。【００１０】  初めの体験は中年の時である。少し重い物を待ち上げようと腰を曲げた途端に背中でポキッと音がして、背を真直ぐにできなくなった。大変な苦痛であった。【００１１】  医者は言った。椎間板ヘルニヤと。手術しますか。とも言われた。しかし、手術はしなかった。以降腰に全神経が集中するようになった。【００１２】  中年以降の年を取った人達を悩ます他の原因不明の腰痛についても同じである。
人によって色々な原因がある事は容易に推考できる。しかし、経験や研究や見聞等では、それらの腰痛の多くは、腰の冷えが直接の原因か、又は、遠因になっている。【００１３】  例えば、私の体は頑健な方である。しかし、夜中に寝返りをしたりすると、布団が動き、掛布団と敷布団の間に僅かな隙間ができる事がある。そうすると、その部分から体熱の放散が始まる。【００１４】  こういう場合は、若いうちは自律神経が活発に働き、体温も相応に上がるので、例えば、腰の辺りの体温も相応に保たれ、普通は痛みを感じない。【００１５】  しかし、年を重ねるに従って全身の機能も低下し、体熱の発生量も相応に低下する。
その為、掛布団と敷布団の間に隙間ができた状態が長い時間続くと、冷えによる腰の血液の循環が段々に悪くなり、やがて痛みが始まり、時間の経過に伴い痛みは更にますます強くなる。【００１６】  即ち、多くの腰の痛みとその強さは、その人の年齢と、特に布団の掛け方と、冷えの時間の長さと、居住関係と、季節等によって大きく左右される。【００１７】  足痛の場合も全く同じである。夜中に突然に両足の激しい痛みで目が覚めると、両足が布団から出ていたのである。
防寒目的で電気毛布を使用していたが、布団の中の温度が高くなり過ぎて、それに対応して無意識のうちに足を布団から出して冷やし、激しい痛みが２日間も続く経験をしたのである。【００１８】  就寝中の冷えによる痛みの原因として、日本の住宅の問題も無視できない。
西洋では一般的に住宅全体を暖房するようになっており、夜中でも室内温は高い。そして、就寝はベッドであるが、ベッドは床より一段と高くなっており、その為、布団の中と外側の室内の温度差が小さい。【００１９】  更に、掛布団も薄く大き目で、寝返りで腰が掛布団の外側にはみだす事も少なく、はみだしても冷えは小さい。【００２０】  日本では畳の上に布団を敷くので、例えば、一階の場合、外気の冷たい温度が床下から直接布団の中の腰に伝わり冷すので、腰痛の大きな原因になっている。
【腰痛を解決する為の手段】
【００２１】  本発明の目的である腰痛解決法を説明する。
第１・２図のように、断熱効果の高い材料で作られた防冷具を寝衣の後腰のあたりにつけた構造である。チョッキ状の寝衣につけてもよい。
防冷具は軽く、湿気は通り易く，熱は通り難い材料や構造に作り、それを添付図のように寝衣に装着する。
洗濯時用に、寝衣に防冷具をチャック、又は、ボタン等で着脱できるようにすると便利である。
【００２２】  経験によると、防冷具の厚さは年齢によって異なる。例えば、本発明人の場合、４０代の終り頃は、普通の標準毛布１枚分の厚さで足りたが、５０代頃になると２枚分以上の厚さが必要で、現在は３枚分以上の厚さが必要である。
それは腰の発熱量が従来より更に小さくなる為である。これは経験によって知った事である。
【００２３】  以来、長年の間悩まされていた腰痛もなく、無事平穏に済ましていられる。勿論それぞれに人や居住条件によって防冷具の厚さに差がある。
【００２４】  例えば、寝返り等によって掛布団と敷布団の間が離れる程度の掛け方になっていても、短時間経過の場合は問題ないが、その状態で長時間経過している場合は、腰の痛みが始まり段々と強くなってくる。
【００２５】  その痛みの原因は季節によっても大きく異なる。例えば、室内温が大きく異なる１月頃と８月頃では全く異なる。
８月頃では防冷具がなくても外気が温かいので腰が痛むことは少ない。
【００２６】  しかし、１月頃になると、外気の温度が低いので、冷えの速度が早くなり、痛みも早く強くなる。その場合の痛みの治りも長時間を要する。
【００２７】  当初は繰り返しの痛みの原因が分からず、医者に診て貰っても当座の痛み止めの応急処置にすぎず、その為、再び痛み始めると、また医者にかかる悪循環を繰り返していた。
【発明の効果】
【００２８】  しかし、段々に痛みの原因が、経験的に腰の体熱の放散が原因である事を悟ってからは、自分で手製の防冷具を作り、それを寝る時に直接当て腰の体熱の放散を防ぐようにして以降、段々に腰痛を感じなくなった。
【００２９】  ところが腰の痛みを完全に感じなくなってから防冷具を寝衣から外すと、またまた腰が痛みだしたのである。
【００３０】  勿論、防冷具を一日中着用する必要はない。寝る時は必ず冷えから腰を守れるように、寝衣、または、チョッキ状の寝衣に防冷具を着けるようにする事が重要である。
【００３１】  尚、腰の痛みが他の原因であっても、就寝時の防冷具の着用により腰が冷えるのを防ぐだけで血の循環が正常に保たれ、他の原因による痛みも減少、又は、完全に消える効果がある。
【００３２】  従来のカイロ類は、小さい為に温まるのは局部であり、発熱量も限界があり、広い範囲の冷えによる痛みに対しては効果がない。また永続的に交換を続けなければならない。
【００３３】  本発明の場合は、腰の広い範囲で体熱を無駄に放散させないように、寝衣に防冷具を当てるなどして、腰全体に体熱が蓄積されるようになっているので、効果が確実であり、何の手間も要らず、経済的でもある。
【００３４】  コルセット等の場合、一日中強く締め付けている為、その負担感は相当に苦痛であり、手間もかかる。
本件発明の場合、寝衣の一部に取り付けたままなので、特別の負担感は全くない。
それでいて防痛効果は抜群である。
【００３５】  痛くなる部分で保温効果が高くなるように、腰の広い部分を他よりも厚くする事が重要である。チョッキ状の薄い布に防冷具を当てがったものでもよい。これは防冷具が腰の後から大きく動かないようにする為である。防冷具を紐で肩から吊るすようにして、前で縛るようにしてもよい。
【発明を実施する為の最良の形態】
【００３６】  痛くなる部分で保温効果が高くなるように、腰の部分を他よりも厚くする事が重要である。チョッキ状の薄い布に防冷具を当てがったものでもよい。防冷具が腰の後から大きく動かないようにする為である。
【００３７】  本発明の場合、寝衣以外の服に防冷具を着けるのもよい。
産業上の利用可能性大きい。
【図面の簡単な説明】
【００３８】
【図１】寝衣。
【図２】防冷具。
【図１】
2008212610.tif 000003
【図２】
2008212610.tif 000004